(57)【要約】【課題】床面がセラミック床の場合においても、床面の凹部に付着した汚れを除去し易い床面洗浄機を提供する【解決手段】往復移動自在な床面洗浄用パッドＰを機枠Ａに取り付け、床面洗浄用パッドＰを往復移動操作する電動式の駆動手段Ｍを設け、床面洗浄用パッドＰに立毛部７を備えた立毛シートＳを取り付けてある。【選択図】図４
2009011491.tif 000002
【特許請求の範囲】
【請求項１】
往復移動自在な床面洗浄用パッドを機枠に取り付け、
前記床面洗浄用パッドを往復移動操作する電動式の駆動手段を設けた床面洗浄機であって、
前記床面洗浄用パッドに立毛部を備えた立毛シートを取り付けてある床面洗浄機。
【請求項２】
前記立毛部における立毛がそのほぼ全てを略一定方向に向けて傾斜するように構成されている請求項１に記載の床面洗浄機。
【請求項３】
前記立毛部における立毛の傾斜方向が前記床面洗浄用パッドの往復移動方向のいずれかの方向に沿うように前記立毛シートを取り付けてある請求項２に記載の床面洗浄機。
【請求項４】
前記立毛部が繊度０．２〜１２ｄｔのポリエステル繊維である請求項１〜３のいずれか１項に記載の床面洗浄機。
【請求項５】
前記立毛部の立毛密度が１００００本／ｃｍ2である請求項１〜３のいずれか１項に記載の床面洗浄機。
【請求項６】
前記立毛部の立毛高さが０．４〜６ｍｍである請求項１〜３のいずれか１項に記載の床面洗浄機。
【請求項７】
前記立毛部における立毛の先端部が切断されている請求項１〜３のいずれか１項に記載の床面洗浄機。
【請求項８】
請求項１〜７のいずれか１項に記載の床面洗浄機を用いた床面洗浄方法であって、前記立毛シートに洗浄液を付与したのち、前記床面洗浄用パッドを床面に対して往復移動させる床面洗浄方法。
【発明の詳細な説明】
【技術分野】
【０００１】
本発明は、床面洗浄機および床面洗浄機を用いた床面洗浄方法に関する。
【背景技術】
【０００２】
かかる床面洗浄機は、床面洗浄用パッドを床面に対して往復移動させることにより、床面の汚れを除去できるようにしたものである。
【０００３】
従来、この種の床面洗浄用パッドとして、不織布にて形成されたパッドがあった（尚、このような構成は周知慣用技術であり、適切な先行技術文献を開示できないものである。）。
【発明の開示】
【発明が解決しようとする課題】
【０００４】
かかるパッドを床面に対して往復移動させることにより、床面の表面に付着した汚れを除去できるものの、不織布の繊維は、一般的に不織布の面に沿った方向に寝ているために、それらの繊維が床面の凹部に入り込み難く、床面の凹部に付着した汚れを除去し難いという問題点があった。
特に、例えば、床面がセラミック床の場合、セラミックの表面に数μｍ〜５０μｍの小さな凹部が多数存在するため、長期間の使用により、セラミックの表面の小さな凹部に汚れが付着することになるが、不織布の繊維は、セラミックの表面の小さな凹部に入り込み難く、セラミックの表面の小さな凹部に付着した汚れを除去し難いものであった。しかも、セラミックの表面は硬く、不織布の繊維がセラミックの表面を押圧しても変形しないので、セラミックの表面の小さな凹部に付着した汚れが浮き出ることが無く、この点からも、セラミックの表面の小さな凹部に付着した汚れを除去し難いものであった。
【０００５】
本発明は、上記実状に鑑みて為されたものであって、その目的は、床面がセラミック床の場合においても、床面の凹部に付着した汚れを除去し易い床面洗浄機を提供する点にある。
【課題を解決するための手段】
【０００６】
本発明の床面洗浄機は、往復移動自在な床面洗浄用パッドを機枠に取り付け、前記床面洗浄用パッドを往復移動操作する電動式の駆動手段を設けたものであって、その第１特徴構成は、前記床面洗浄用パッドに立毛部を備えた立毛シートを取り付けてある点にある。
【０００７】
円形のパッドやブラシを回転移動させる床面洗浄機の場合には、例えば、不織布にて形成されたパッドでは、前述の如く繊維がセラミックの表面の小さな凹部に入り込み難いものであり、シダやナイロンにて形成されたブラシでは、ブラシの径が太いので、セラミックの表面の小さな凹部に入り込み難いものであるばかりか、そのブラシは一方向に回転移動するものであるため、回転方向に沿ってブラシが常時横倒れ状になり易く、セラミックの表面の小さな凹部に付着した汚れを除去することはできないものである。
【０００８】
しかし、本発明の床面洗浄機では、床面洗浄用パッドに立毛部を備えた立毛シートが取り付けられることにより、床面洗浄用パッドを床面に対して往復移動させたときに、立毛部における繊維が立ち易く、そのために、その立毛の先端部が床面の凹部に入り込み易く、床面の凹部に付着した汚れを除去し易いものとなる。特に、床面がセラミック床の場合においても、立毛部における立毛の先端部がセラミックの表面の小さな凹部に入り込み易く、セラミックの表面の小さな凹部に付着した汚れを掻き出して除去し易いものとなる。
【０００９】
したがって、床面がセラミック床の場合においても、床面の凹部に付着した汚れを除去し易い床面洗浄機を得るに至った。
【００１０】
本発明の第２特徴構成は、上記第１特徴構成に加えて、前記立毛部における立毛がそのほぼ全てを略一定方向に向けて傾斜するように構成されている点を特徴とする。
【００１１】
すなわち、立毛部における立毛がばらばらな方向を向いていると、立毛部における立毛の一部しか立毛の先端部が床面の凹部に入り込むのに適した方向に向けることができない。これに対して、立毛部における立毛がそのほぼ全てを略一定方向に向けて傾斜するように構成されているので、略一定方向を立毛の先端部が床面の凹部に入り込むのに適した方向にすることにより、立毛部における立毛のほぼ全てを立毛の先端部が床面の凹部に入り込むのに適した方向に向けることができる。
【００１２】
本発明の第３特徴構成は、上記第２特徴構成に加えて、前記立毛部における立毛の傾斜方向が前記床面洗浄用パッドの往復移動方向のいずれかの方向に沿うように前記立毛シートを取り付けてある点を特徴とする。
【００１３】
すなわち、図４に示すように、立毛部７における立毛７ａが床面洗浄用パッドＰの往復移動方向のいずれかの方向に沿って移動して、立毛７ａの先端部が床面８の凹部８ａに入り込む場合において、立毛７ａの先端部にその立毛の傾斜方向とは逆の方向に力が掛かることになるが、立毛７ａはその傾斜方向とは逆の方向すなわち立毛７ａをその軸芯方向に圧縮する方向に対しては剛性が高いので、立毛７ａの先端部が床面８の凹部８ａに入り込み易く、床面８の凹部８ａに付着した汚れ９を掻き出し易いものとなる。
【００１４】
本発明の第４特徴構成は、上記第１〜第３特徴構成のいずれか１つの特徴構成に加えて、前記立毛部が繊度０．２〜１２ｄｔのポリエステル繊維である点を特徴とする。
【００１５】
すなわち、立毛部が繊度０.２ｄｔ未満のポリエステル繊維である場合には、立毛部における立毛が絡み合ったり、倒れ易い。立毛部が繊度１２ｄｔ以上のポリエステル繊維である場合には、立毛部における立毛の先端部が凹部に入り難い。そのために、立毛部が繊度０．２〜１２ｄｔのポリエステル繊維であれば、立毛部における立毛が絡み合ったり、倒れたりすること無く、しかも、立毛部における立毛の先端部が凹部に入り易いものとなる。
【００１６】
本発明の第５特徴構成は、上記第１〜第３特徴構成のいずれか１つの特徴構成に加えて、前記立毛部の立毛密度が１００００本／ｃｍ2である点を特徴とする。
【００１７】
すなわち、立毛部の立毛密度が１００００本以上であれば、床面の凹部に付着した汚れを除去し易く、好適である。
【００１８】
本発明の第６特徴構成は、上記第１〜第３特徴構成のいずれか１つの特徴構成に加えて、前記立毛部の立毛高さが０．４〜６ｍｍである点を特徴とする。
【００１９】
すなわち、立毛部の立毛高さが０．４ｍｍ未満の場合には、立毛部に洗浄液を付与したときに、立毛部に洗浄液を保持し難い。また、立毛部の立毛高さが６ｍｍ以上の場合には、立毛部の立毛が変形し易い。そのために、立毛部の立毛高さが０．４〜６ｍｍであれば、立毛部に洗浄液を付与したときに、立毛部に洗浄液を保持し易く、しかも、立毛部の立毛が変形し難いものとなる。
【００２０】
本発明の第７特徴構成は、上記第１〜第３特徴構成のいずれか１つの特徴構成に加えて、前記立毛部における立毛の先端部が切断されている点を特徴とする。
【００２１】
すなわち、立毛部の先端部が床面の凹部に一層入り込み易く、床面の凹部に付着した汚れを一層除去し易いものとなる。
【００２２】
本発明の床面洗浄方法は、上記第１〜第７特徴構成に記載の床面洗浄機を用いたものであって、その第１特徴手段は、前記立毛シートに洗浄液を付与したのち、前記床面洗浄用パッドを床面に対して往復移動させる点を特徴とする。
【００２３】
すなわち、洗浄液が床面の凹部と汚れの隙間に入り込むことにより、立毛部の先端部が床面の凹部に入り込んだときに、凹部に付着した汚れを除去し易いものとなる。又、洗浄液が立毛部と床面との間の摩擦を軽減して、床面を洗浄し易いものとなる。
【発明を実施するための最良の形態】
【００２４】
〔第１実施の形態〕
以下、本発明に係る床面洗浄機および床面洗浄機を用いた床面洗浄方法について説明する。
床面洗浄機は、床面としてのセラミック床８を洗浄するためのものであり、図１〜図３に示すように、往復移動自在な床面洗浄用パッドＰを機枠Ａに取り付け、床面洗浄用パッドＰを往復移動操作する電動式の駆動手段としての電動モータＭを設けて構成されている。
【００２５】
説明を加えると、図２に示すように、前記機枠Ａの下面側に左右一対の角棒状の案内レール１を前後方向に沿って取り付け、それら支持レール１の夫々に前側及び後側のパッド支持部３を前後方向に摺動自在に取り付け、前側及び後側のパッド支持部３の夫々に前側及び後側の床面洗浄用パッドＰの夫々を着脱自在に取り付けてある。これにより、前後方向に往復移動自在な床面洗浄用パッドＰが機枠Ａに取り付けられることになる。
【００２６】
図３（イ）、（ロ）に示すように、前記機枠Ａに取り付けられた電動モータＭの出力軸４に上下一対の偏芯カム５を位相を１８０度ずらせた状態で取り付け、上側の偏芯カム５と前側のパッド支持部３とを前側のリンク６にて連結するとともに、下側の偏芯カム５と後側のパッド支持部３とを後側のリンク６にて連結してある。これにより、電動モータＭの駆動により前側及び後側の床面洗浄用パッドＰが前後方向に往復移動操作されることになる。
【００２７】
そして、床面洗浄用パッドＰの下面に立毛部７を備えた立毛シートＳを取り付けてある。
説明を加えると、立毛部７における立毛７ａの傾斜方向が床面洗浄用パッドＰの往復移動方向のいずれかの方向に沿うように立毛シートＳを取り付けてある。これにより、立毛部７における立毛７ａが床面洗浄用パッドＰの往復移動方向のいずれかの方向に沿って移動して、立毛７ａの先端部がセラミック床８の凹部８ａに入り込む場合において（図４（イ）、（ロ）参照）、立毛７ａの先端部にその傾斜方向とは逆の方向に力が掛かることになるが、立毛７ａはその傾斜方向とは逆の方向すなわち立毛７ａを圧縮する方向に対しては剛性が高いので、床面８の凹部８ａに付着した汚れ９を掻き出し易いものとなる。
【００２８】
前記立毛シートＳについて説明を加えると、立毛シートＳは、立毛７ａを有する経編物であり、立毛７ａは単糸繊度が０．２〜１２ｄｔの合成繊維フィラメント糸としてのポリエステル繊維からなり、立毛部７の立毛密度が１００００本／ｃｍ2であり、立毛部７の立毛高さが０．４〜６ｍｍであり、立毛部７における立毛７ａの先端部が切断されている。
つまり、単糸繊度が０.２ｄｔ未満では、立毛７ａが絡み合ったり、倒れ易く、単糸繊度が１２ｄｔ以上では、立毛７ａの先端部がセラミック床８の凹部８ａに入り難い。単糸繊度が０．２〜１２ｄｔでは、立毛７ａが絡み合ったり、倒れたりすること無く、しかも、立毛部７における立毛７ａの先端部がセラミック床８の凹部８ａに入り易いものとなる。単糸繊度が１〜５ｄｔであればより好ましい。又、立毛密度が１００００本未満では、セラミック床８の凹部８ａに付着した汚れ９を除去し難い。立毛密度が１００００本以上であれば、セラミック床８の凹部８ａに付着した汚れ９を除去し易く、好適である。又、立毛高さが０．４ｍｍ未満では、立毛部７に洗浄液を付与したときに、立毛部７に洗浄液を保持し難い。立毛高さが６ｍｍ以上では、立毛７ａが変形し易く、セラミック床８の凹部８ａに付着した汚れ９を除去し難い。立毛高さが０．４〜６ｍｍでは、立毛部７に洗浄液を付与したときに、立毛部７に洗浄液を保持し易く、しかも、立毛７ａが変形し難いものとなる。立毛高さが０．８〜３ｍｍであればより好ましい。又、立毛７ａの先端部が切断されているので、立毛７ａの先端部がセラミック床８の凹部８ａに一層入り込み易く、凹部８ａの汚れを一層除去し易い。
【００２９】
前記立毛シートＳについてさらに説明を加えると、立毛シートＳは、表面地、裏地、ツナギからなる３層構造であり、３枚の筬を有するトリコット編機を使用し、フロントの筬にポリエステルフィラメント糸８４ｄｔ３６フィラメント（すなわち単糸繊度が約２．３３ｄｔ）を使用し、他の２つの筬の夫々にポリエステルフィラメント糸５６ｄｔ２４フィラメント（すなわち単糸繊度が約２．３３ｄｔ）を使用して編地を編成し、起毛後、１．８ｍｍの高さにカットし、立毛密度が２６０００本／ｃｍ2になるように仕上げてある。
そして、表面地の経編物方向が床面洗浄用パッドＰの往復移動方向のいずれかの方向に沿うように立毛シートＳを取り付けてある。
ちなみに、ｄｔ（デシテックス）とは、１００００ｍ当りのグラム数であり、２．３３ｄｔの繊維の太さは、繊維を円柱に近似し、比重を１．３８ｇ／ｃｍとすると、太さが１４．６６μｍとなる。したがって、単糸繊度が約２．３３ｄｔ程度であれば、立毛７ａの先端部がセラミック床８の表面に存在する数μｍ〜５０μｍの小さな凹部８ａに入り込み易いものとなる。
【００３０】
次に、図５に示すように、実施例と同じ経編物方向になるように床面洗浄用パッドＰに取り付けられかつ実施例と異なる条件で仕上げられた立毛シートＳ（比較例１〜５）、平面視において、表面地の経編物方向が床面洗浄用パッドＰの往復移動方向に直交するように床面洗浄用パッドＰに取り付けられかつ実施例と同じ条件で仕上げられた立毛シートＳ（比較例６）、及び、従来例としての不織布パッド（比較例７）について洗浄試験を行なった結果について説明する。
比較例１は、立毛高さを０．４ｍｍとし、その他の条件を実施例と同じにしてある。比較例２は、立毛高さを７ｍｍとし、その他の条件を実施例と同じにしてある。比較例３は、立毛密度を９８００本／ｃｍ2とし、その他の条件を実施例と同じにしてある。比較例４は、単糸繊度を約０．１７５ｄｔとし、立毛密度を１６７４００本／ｃｍ2とし、その他の条件を実施例と同じにしてある。比較例５は、単糸繊度を約１６．８ｄｔとし、立毛密度を４３００本／ｃｍ2とし、その他の条件を実施例と同じにしてある。
【００３１】
図５に示された洗浄率の算出方法を説明すると、立毛シートＳを５ｃｍ×１２．５ｃｍにカットして表面地の経編物方向が床面洗浄用パッドＰの往復移動方向のいずれかの方向に沿うように床面洗浄用パッドＰに取り付け、床面洗浄用パッドＰの往復移動サイクルが５００サイクル／ｍｉｎで、床面洗浄用パッドＰのストローク幅が３０ｍｍで、床面洗浄機の移動速度が１０ｍ／ｍｉｎで、洗浄液を予め塗布したセラミック床８を計４回通過させる。セラミック床８の色相を測定し、検出されたＬ（明度）、ａ（赤緑方向の色彩）、ｂ（黄青方向の色彩）より、以下の式で表される洗浄試験前後のセラミック床８の色差ΔＥ１、及び、セラミック床８の表面を汚染する前後のセラミック床８の色差ΔＥ２を求める。尚、実際にセラミック床８を１ヶ月間設置して、セラミック床８の表面を汚染させたものを洗浄試験に用いた。
【００３２】
【数１】
2009011491.tif 000003
【００３３】
そして、以下の式で表される洗浄率を求める。
【００３４】
【数２】
2009011491.tif 000004
【００３５】
比較例２の洗浄率は５０％であり、実施例の値（７０％）に較べてやや劣る。このことは、立毛高さが６ｍｍを超えると洗浄能力が低下することを示している。比較例３の洗浄率は４５％であり、実施例の値（７０％）に較べてやや劣る。このことは、立毛密度が１００００本／ｃｍ2を下回ると洗浄能力が低下することを示している。比較例４の洗浄率は５０％であり、実施例の値（７０％）に較べてやや劣る。又、比較例５の洗浄率は３０％であり、実施例の値（７０％）に較べて劣る。このことは、単糸繊度が０.２ｄｔを下回ったり、単糸繊度が１２ｄｔを超えると洗浄能力が低下することを示している。特に、単糸繊度が１２ｄｔを超えると洗浄能力が大幅に低下することを示しており、この結果は、単糸繊度が１２ｄｔを超えるすなわち繊維の太さが３９．３８μｍを超えると、立毛７ａの先端部がセラミック床８の表面に存在する数μｍ〜５０μｍの小さな凹部８ａに入り難くなることを示唆している。又、比較例６の洗浄率は６０％であり、実施例の値（７０％）に較べてやや劣る。このことは、表面地の経編物方向が床面洗浄用パッドＰの往復移動方向に沿うように立毛シートＳを床面洗浄用パッドＰに取り付けたほうが、表面地の経編物方向が床面洗浄用パッドＰの往復移動方向に直交するように立毛シートＳを床面洗浄用パッドＰに取り付けるよりも洗浄能力が高いことを示している。
【００３６】
次に、床面洗浄機を用いた床面洗浄方法について説明する。立毛シートＳに洗浄液を付与したのち、床面洗浄用パッドＰをセラミック床８に対して往復移動させることによりセラミック床８を洗浄する。立毛シートＳに洗浄液を付与する方法として、セラミック床８に洗浄液を予め塗布してもよく、あるいは、床面洗浄用パッドＰに洗浄液を直接塗布してもよい。又、洗浄液としては、中性洗剤、弱アルカリ性洗剤、アルカリ性洗剤、溶剤型洗剤、漂白型洗剤、研磨剤型洗剤、機能水等が好適に使用できる。
【００３７】
〔別実施の形態〕
（１）上記実施の形態では、電動モータＭの駆動により前後方向に２個設けられた床面洗浄用パッドＰが前後方向に往復移動操作される構成を例示したが、このような構成に代えて、電動モータＭの駆動により前後方向に間隔を隔てて２個以上の複数個設けられた床面洗浄用パッドＰが前後方向に往復移動操作される構成であってもよい。あるいは、電動モータＭの駆動により右側及び左側の床面洗浄用パッドＰが左右方向に往復移動操作される構成であってもよい。
【００３８】
（２）上記実施の形態では合成繊維フィラメント糸がポリエステル繊維である構成を例示したが、このような構成に代えて、合成繊維フィラメント糸が、ナイロン繊維、ビニロン繊維、アクリル繊維、ポリエチレン繊維等の合成繊維であってもよく、あるいは、合成繊維フィラメント糸が、アセテートやトリアセテート等の半合成繊維であってもよい。
【００３９】
（３）上記実施の形態では、床面がセラミック床である構成を例示したが、このような構成に代えて、床面が磁器タイル、天然石材、テラゾーコンポジションタイル、リノリウム、防滑シート、防滑タイル、ガラス、パネルやタイルの目地であってもよい。
【００４０】
（４）上記実施の形態では、立毛シートＳが立毛７ａを有する経編物である構成を例示したが、このような構成に代えて、立毛シートＳが立毛７ａを植毛した植毛シートであってもよい。
【００４１】
（５）上記実施の形態では、立毛シートＳが３枚筬を有するトリコット編機で編成する構成を例示したが、２枚筬を有するトリコット編機で編成してもよく、あるいは、３枚以上の筬を有するトリコット編機で編成してもよい。
【００４２】
（６）上記実施の形態では、３枚の筬を有するトリコット編機を使用して編地を編成し、起毛後、カットする構成を例示したが、このような構成に代えて、ダブルラッセル編機を使用して編地を編成し、編地の厚さ方向の中央部をカットする構成としてもよい。
【００４３】
（７）上記実施の形態では、立毛部７における立毛７ａの傾斜方向が略一定方向としての床面洗浄用パッドＰの往復移動方向のいずれかの方向に沿うように立毛シートＳを取り付けてある構成を例示したが、このような構成に代えて、立毛部７における立毛７ａの傾斜方向が略一定方向としての床面洗浄用パッドＰの往復移動方向のいずれかの方向と異なる方向に沿うように立毛シートＳを取り付けてある構成としてもよい。
【図面の簡単な説明】
【００４４】
【図１】床面洗浄機の全体斜視図
【図２】床面洗浄機の縦断面図
【図３】床面洗浄機の平面図
【図４】立毛シートの断面図及び立毛が床面の凹部に入り込む状態を示す図
【図５】実施例及び比較例における洗浄試験の結果を示す表
【符号の説明】
【００４５】
７          立毛部
７ａ        立毛
８          床面
Ａ          機枠
Ｍ          電動式の駆動手段
Ｐ          床面洗浄用パッド
Ｓ          立毛シート
【図１】
2009011491.tif 000005
【図２】
2009011491.tif 000006
【図３】
2009011491.tif 000007
【図４】
2009011491.tif 000008
【図５】
2009011491.tif 000009